(57)【要約】【課題】従来の小型液晶ディスプレイ付きのカメラ付携帯電話、デジタルカメラ、デジタルビデオカメラ、携帯型マルチメディアプレイヤーでは、視認性が悪く高画質な画像を撮影したその場で楽しめない。【解決手段】対角比で２倍前後の高輝度・高視野角ディスプレイを搭載し、視認性がよく、携帯性および接続性に優れた多目的携帯型情報端末により、この課題を解決する。【選択図】  図１
2006209039.tif 000002
【特許請求の範囲】
【請求項１】
カメラ付携帯電話内のデジタル画像データ転送を可能とする専用ＵＳＢケーブルおよびソフトェアを備えることを特徴とする多目的携帯型情報端末
【請求項２】
デジタルカメラと、ＵＳＢケーブルで直接接続してデジタル画像データ転送を可能とすることを特徴とする多目的携帯型情報端末。
【請求項３】
対角４インチ以上の有機ＥＬディスプレイを搭載する多目的携帯型情報端末。
【請求項４】
対角４インチ以上の液晶ディスプレイを搭載する多目的携帯型情報端末。
【請求項５】
システムＲＯＭのソフトウェアの更新によって、デジタル音声データの記録および再生を可能とすることを特徴とする多目的携帯型情報端末。
【請求項６】
デジタルビデオカメラと、ＩＥＥＥ１３９４をＵＳＢ２．０に変換する専用ケーブルを用いて接続し、録画されたデジタルデータを表示および記録する多目的携帯型情報端末。
【請求項７】
記録されたデジタル画像を、一定時間表示した後に、表示部分の保護のためにスクリーンセーバーの作動および電源停止を可能とする、表示方法。
【請求項８】
記録されたデジタル画像を、専用のＡＣアダプター兼用置き台に設置して、デジタル写真立てとして機能する多目的携帯型情報端末。
【請求項９】
記録されたデジタル動画の先頭フレーム画像を、前記のデジタル写真立ての写真として表示し、任意に設定したボタンを押すと先頭フレームを開始フレームとする動画が再生されることを可能とする表示方法。
【発明の詳細な説明】
【技術分野】
【０００１】  この発明は、音楽再生能力を備えた多目的携帯型情報端末に関する。具体的には、本発明は、カメラ付携帯電話、デジタルカメラ、デジタルビデオカメラ、携帯型テレビチューナーとＵＳＢケーブルおよび／またはフラッシュメモリを介して接続し、その画像の表示および／またはキャプチャを行い、同時に音声信号の録音および再生も行う。
【背景技術】
【０００２】  従来から、カメラ付携帯電話は、一部で１００万画素を超えるカメラ部分を備えて高画質な静止画および動画の記録が可能であることが知られている。また、音声についても高音質な楽曲のダウンロードおよび再生が可能な機種があることが知られている。【０００３】デジタルカメラは、一部で１００万画素を超えるカメラ部分を備えて高画質な静止画および動画の記録が可能であることが知られている。また、音声についても高音質な楽曲の再生が可能な機種があることが知られている。【０００４】デジタルビデオカメラは、一部で１００万画素を超えるカメラ部分を搭載して、動画のみならず高画質な静止画記録が可能であるものもあることが知られている。【０００５】携帯型マルチメディアプレイヤーと呼ばれる機器では、対角４インチ未満の液晶ディスプレイとハードディスクを備えて、静止画、動画、音声の記録および再生を可能とするものもある。
【発明の開示】
【発明が解決しようとする課題】
【０００６】  しかしながら、従来のカメラ付携帯電話、デジタルカメラ、デジタルビデオカメラ、携帯型マルチメディアプレイヤーでは、高画質記録が可能になっているにもかかわらず、搭載する液晶ディスプレイが、表示面積においては対角２インチから４インチ未満と小型であり、また視野角が１６０度程度でコントラストが３００：１程度であるため、画面の小ささによる利用者の不満、日光の下での見えにくさ、複数人数での視認性が悪いという点でも利用者の不満を招いている。特に、撮影したその場で、高画質再生が困難であるということは、本来これら機器が持つ「携帯性」という特性とは大いに矛盾している。【０００７】  カメラ付携帯電話や一部デジタルカメラに搭載されている音楽再生機能は、利用者によっては必要としない過剰機能となっている場合がある。【０００８】  要求されるのは、高画質なデジタル画像を、撮影したその場で、一般的な写真サイズで明るい場所でも美しく表示できる能力であり、これをもって利用者はデジタル画像に満足することになる。
【課題を解決するための手段】
【０００９】  上記の要求は、カメラ付携帯電話、デジタルカメラ、デジタルビデオカメラ、携帯型テレビチューナーとＵＳＢケーブルおよび／またはフラッシュメモリを介して接続し、デジタル画像を格納するデジタル・メモリ、デジタル音声を格納するデジタル・メモリ、格納されたデジタル画像を表示する４インチ以上の高輝度、高視野角ディスプレイを備えた多目的携帯型情報端末で満足される。【００１０】  要求はさらに、格納されるシステムＲＯＭにソフトウェアをダウンロードして追加することによって、デジタル音声記録および再生機能を利用可能とすることで、音楽再生を必要としない利用者、また必要とする利用者双方が満足される【００１１】  さらに、機器接続に汎用性が高くデータ転送速度が高速なＵＳＢ２．０を用いることと、ソフトウェアを書き換え可能にすることで、携帯型テレビチューナーなどの今後の画像表示を必要とする機器との多様な接続性を持たせることができる。
【発明の効果】  携帯性を損なうことなく、デジタル画像を格納した多様な機器の画像を、写真サイズで高画質画像が見られる。また、動画再生も可能なデジタル写真立てとして機能する。
【発明を実施するための最良の形態】
【００１２】  本発明は、ディスプレイ８０に高輝度、高視野角である対角４インチ以上の有機ＥＬを用いることが望ましい。【００１３】  ディスプレイ８０には、高輝度、高視野角である対角４インチ以上の液晶を用いてもよい。【００１４】  ＵＳＢ（Ｕｎｉｖｅｒｓａｌ  Ｓｅｒｉａｌ  Ｂｕｓ）接続部分Ｇは、本体操作部分とは離れたところに配置して、操作中に利用者があやまって接続を外してしまうことを防止するように配慮する事が望ましい。【００１５】  図８のように、初期設定を行う。ここでは、スクリーンセーバーの設定と電源切断の設定を行い、ディスプレイ８０の焼き付き現象を回避と電気消費の節約を可能にする。【００１６】  専用置き台１００に設置した場合、静止画と動画を表示するデジタル写真立てとなる。【００１７】  初期設定では、デジタル写真立てとして使用する場合の、静止画像の選択、複数の静止画像を選択した場合のスライドショーの間隔時間設定、動画を選択した場合の画像が動く時間の設定を可能とする。【００１８】  図１０のように、デジタル写真立てとして使用する場合、取り込んだ動画の先頭フレームを静止画像として常には表示し、決定ボタンＤを押すと、初期設定で決められた秒数、静止画を先頭フレームとする動画が再生される。いわば、「動く写真立て」と言える動作が可能となる。【００１９】  図９のように、デジタルカメラ４０１と接続する場合は、ＵＳＢ接続ポートＧに、デジタルカメラ付属のＵＳＢケーブルを用いて接続する。【００２０】  図９のように、カメラ付携帯電話３０１と接続する場合は、カメラ付携帯電話専用ＵＳＢケーブルを用いて接続する。【００２１】  機能の選択には、ジョグダイヤルＩまたはＡＢＣＤＥＦの機能選択ボタンを用いて行う。【００２２】  機能選択ボタンＡＢＣＤＥＦは、ソフトウェアによって任意に機能を変更できるようにする。【００２３】  図９のように、各デジタル機器から取り込まれた画像は、一覧表示が可能であり、任意の画像を拡大表示すること、任意の画像を削除することを可能とする。【００２４】  図９のように、各デジタル機器から取り込まれた画像は、アルバムとして格納メモリに保存することを可能とする。【００２５】  図６のようにパーソナルコンピュータ６０１とは、ＵＳＢ２．０ポートＧと汎用のＵＳＢケーブルで接続する。【００２６】  各デジタル機器からＵＳＢ２．０ポートＧを経由してデジタル・メモリ５０に格納されたデジタル画像データは、マイクロプロセッサ２０にて処理されＤＳＰ６０を経てディスプレイ８０に表示される。【００２７】  図１１のように、利用者が音声再生機能を望む場合は、前記のようにパーソナルコンピュータと接続して専用ソフトウェアをダウンロードして、メニューからソフトウェアアップグレードを選択して音声録音および再生機能の追加を行うことで、これを可能とする。【００２８】  図７のように、ＵＳＢ２．０接続口を備えた専用の携帯型テレビチューナー７０１を、ＵＳＢ２．０ポートＧに接続して固定してテレビ画像表示を可能とする。この時、ＮＴＳＣ信号は、専用携帯型テレビチューナー７０１内でコンポジット信号に変調されてＵＳＢに出力される。但し音声再生機能が必要となるため、前記の音声録音およ���再生機能の追加が必要となる。【００２９】  フラッシュメモリスロットＨに、フラッシュメモリを挿入して、フラッシュメモリ内のデジタル画像および／またはデジタル音声の記録および再生を可能とする。
【図面の簡単な説明】
【００３０】
【図１】  本発明の実施の形態にかかわる構成を示すブロック図である。
【図２】  本発明の機能を説明するための模型図である。
【図３】  カメラ付携帯電話との接続を説明するための図である。
【図４】  デジタルカメラとの接続を説明するための図である。
【図５】  デジタルビデオカメラとの接続を説明するための図である。
【図６】  パーソナルコンピュータとの接続を説明するための図である。
【図７】  携帯型テレビチューナーとの接続を説明するための図である。
【図８】  初期設定およびデジタルビデオカメラからの画像取り込み条件設定を説明するための本発明のフローチャートである。
【図９】  デジタルカメラとの接続手順およびデジタル画像の転送手順を説明するための本発明のフローチャートである。
【図１０】  デジタルビデオカメラとの接続手順、画像転送手順、および写真立てモード時の利用方法を簡単に説明するための本発明のフローチャートである。
【図１１】  パーソナルコンピュータとの接続手順および機能向上手順を説明するための本発明のフローチャートである。
【符号の説明】
１０    多目的携帯型情報端末  スマートフレーム
２０    マイクロプロセッサ
３０    ＵＳＢ２．０コントローラ及び接続口
４０    フラッシュメモリコントローラ及び接続口
５０    メモリ
６０    デジタル信号プロセッサ（ＤＳＰ）
７０    デジタル・アナログ・コンバータ（ＤＡＣ）
８０    ディスプレイ
９０    ヘッドフォンまたはスピーカー
１００  ＡＣアダプタ兼専用置き台
３０１  カメラ付携帯電話
３０２  カメラ付携帯電話  ＵＳＢコネクタ接続部
３０３  カメラ付携帯電話接続用コネクタ
３０４  ＵＳＢコネクタ
４０１  デジタルカメラ
４０２  専用ＵＳＢ接続部
４０３  専用ＵＳＢ接続用コネクタ
４０４  ＵＳＢコネクタ
５０１  デジタルビデオカメラ
５０２  ＩＥＥＥ１３９４接続口
５０３  ＩＥＥＥ１３９４コネクタ
５０４  ＵＳＢコネクタ
６０１  パーソナルコンピュータ
６０２  ＵＳＢポート
６０３  ＵＳＢコネクタ
６０４  ＵＳＢコネクタ
７０１  携帯型ＴＶチューナー
７０２  ＵＳＢ接続口
Ａ      電源ボタン
Ｂ      データ取り込みボタン
Ｃ      データ削除、データ転出ボタン
Ｄ      決定ボタン
Ｅ      表示、再生ボタン
Ｆ      メニュー表示、ヘルプ表示ボタン
Ｇ      ＵＳＢ２．０ポート
Ｈ      フラッシュメモリ接続スロット
Ｉ      ジョグダイヤル
Ｊ      ヘッドフォンまたはスピーカー接続端子
【図１】
2006209039.tif 000003
【図２】
2006209039.tif 000004
【図３】
2006209039.tif 000005
【図４】
2006209039.tif 000006
【図５】
2006209039.tif 000007
【図６】
2006209039.tif 000008
【図７】
2006209039.tif 000009
【図８】
2006209039.tif 000010
【図９】
2006209039.tif 000011
【図１０】
2006209039.tif 000012
【図１１】
2006209039.tif 000013